(57)【要約】【課題】フレキシブルフラットケーブルを回路基板に接続する場合、安定した固定が得られ、外部からの力を受けても接続が容易に破壊されることなく、かつ接続作業を容易にするフレキシブルフラットケーブルの位置決め構造を提供する。【解決手段】少なくともフレキシブルフラットケーブルと、位置決め部材とを含み、該位置決め部材が該フレキシブルフラットケーブル上に設けられ、かつ該フレキシブルフラットケーブルが回路基板に接続するように構成する。【選択図】図２
0003140212.tif 000002
【実用新案登録請求の範囲】
【請求項１】
少なくともフレキシブルフラットケーブルと、位置決め部材とを含み、該位置決め部材が該フレキシブルフラットケーブル上に設けられ、かつ該フレキシブルフラットケーブルが回路基板に接続することを特徴とする、フレキシブルフラットケーブルの位置決め構造。
【請求項２】
少なくともフレキシブルフラットケーブルと、位置決め部材とを含み、該位置決め部材が該フレキシブルフラットケーブルの回路基板に接続する側の一端に設けられ、かつ該フレキシブルフラットケーブルが回路基板に接続して該フレキシブルフラットケーブルと該回路基板との安定した接続を達成するように構成することを特徴とする、フレキシブルフラットケーブルの位置決め構造。
【請求項３】
前記位置決め部材が押さえ板であって、かつ前記位置決め部材の長さが該フレキシブルフラットケーブルの幅より長く、該位置決め部材が該フレキシブルフラットケーブル一端の上面に圧接するとともに、該位置決め部材の両端が該フレキシブルフラットケーブルの幅を超えて位置し、該回路基板に連結することを特徴とする、請求項１、もしくは請求項２に記載のフレキシブルフラットケーブルの位置決め構造。
【請求項４】
少なくともフレキシブルフラットケーブルと、位置決め部材とを含み、該フレキシブルフラットケーブルの前端に芯線セットが含まれ、該位置決め部材が該芯線セット上に設けられ、該位置決め部材が該芯線セット上に設けられ、かつ回路基板上に固定されてそれぞれの芯線セット上の各芯線が間に距離を置く形式として、それぞれ該芯線の位置がずれることのないように構成することを特徴とする、フレキシブルフラットケーブルの位置決め構造。
【請求項５】
前記フレキシブルフラットケーブルの前端の両側にそれぞれ翼部を形成し、該芯線セットの両側に該翼部と対応する補強線セットを設けることを特徴とする、請求項４に記載のフレキシブルフラットケーブルの位置決め構造。
【考案の詳細な説明】
【技術分野】
【０００１】
この考案は情報通信技術に関し、特にフレキシブルプリント配線板において配線を回路基板に固定する配線位置決め構造に関する。
【背景技術】
【０００２】
フレキシブルプリント配線板（ＦＦＣ）は、エッチングによる回路形成、ジャンパ接続、部品のスポット溶接、裁断などが可能で、かつ可撓性を具える回路基板であって、回路基板の占める空間を大幅に縮小することができることから、例えばノートブックタイプのコンピュータ、携帯電話機、ディジタルカメラ、モバイルタイプのＶＣＤ／ＤＶＤプレーヤ、もしくは自動車用表示装置などの軽量で体積の縮小を特に重視する電子製品に広く応用されている。
【０００３】
フレキシブルプリント配線板は、実際に応用する上で、そのほとんどがコネクタとして異なる回路素子の間を接続する。例えば、画像表示パネルとビデオ信号制御回路との間を接続してビデオ信号を画像表示パネルに転送して画像表示パネルによる画面の表示を制御する。
【０００４】
図１Ａは従来の技術によるフレキシブルプリント配線板と回路基板との接続を示した説明図である。図面によれば、回路基板９０上に複数の接点９１が設けられ、フレキシブルプリント配線板７０は回路（図示しない）、接点７１、及び固定孔７２などを具える。
【０００５】
フレキシブルプリント配線板７０は、接点７１を回路基板９０の接点９１に溶着して固定させ、電気的接続を形成するという目的を達成する。この場合、固定孔７２を利用して回路基板９０に溶着する。このため、フレキシブルプリント配線版７０と回路ボード９０は好ましい固定効果が得られ、フレキシブル回路板７０が外部の力を受けて外れることを防ぐことができる。
【０００６】
然しながら、フレキシブルプリント配線板は鋭角に折ることができないという欠点を有する。その価格も高価である。そこで、フレキシブルフラットケーブル（ＦＦＣ）を以って代替とすることによってコストを大幅に節減することができる。
【０００７】
図１Ｂはフレキシブルフラットケーブルと回路基板との接続を示した説明図である。図面によれば、回路基板９０上には複数の接点９１を設ける。フレキシブルフラットケーブル８０の前端には複数の芯線８１が露出し、かつ複数の芯線８１の一端は接点９１にそれぞれ対応する。また、芯線８１と接点９１との接続は溶着して固定し、電気的接続を達成する。
【０００８】
但し、芯線８１と接点９１とを接続する場合、フレキシブルフラットケーブル８０、もしくは回路基板９０に予期せず外部から衝撃などの力が加わると、芯線８１と接点９１との位置がずれる場合がある。よって、溶着を行う前にそれぞれの芯線８１を整理して揃え、接点９１に対して正確に対応させなければならない。係る作業は接続の作業時間が長くなり、これにともない生産コストも高くなり、経済的ではない。しかも、フレキシブルフラットケーブル８０と回路基板９０との間の固定は、芯線８１と接点９１との溶着のみである。よって、接続した後においても、外部からの予期せぬ力によってフレキシブルフラットケーブル８０、もしくは回路基板９０が引っ張られると、芯線８１の断裂を招く場合があり、フレキシブルフラットケーブル８０と回路基板９０との電気的接続が破壊され、製品を使用することができなくなる。
【考案の開示】
【考案が解決しようとする課題】
【０００９】
この考案は、フレキシブルフラットケーブルを回路基板に接続する場合、安定した固定が得られ、外部からの力を受けても接続が容易に破壊されることなく、かつ接続作業を容易にするフレキシブルフラットケーブルの位置決め構造を提供することを課題とする。
【課題を解決するための手段】
【００１０】
そこで、本考案者は従来の技術に見られる欠点に鑑み鋭意研究を重ねた結果、フレキシブルフラットケーブルの回路基板に接続する一端に位置決め部材を設け、該位置決め部材によって該フレキシブルフラットケーブルの回路基板に対する接続が安定するように構成したフレキシブルフラットケーブルの位置決め構造によって課題を解決できる点に着眼し、係る知見に基づいて本考案を完成させた。
【００１１】
以下、この考案について具体的に説明する。請求項１に記載するフラットケーブルの位置決め構造は、少なくともフレキシブルフラットケーブルと、位置決め部材とを含み、該位置決め部材が該フレキシブルフラットケーブル上に設けられ、かつ該フレキシブルフラットケーブルが回路基板に接続する。
【００１２】
請求項２に記載するフレキシブルフラットケーブルの位置決め構造は、少なくともフレキシブルフラットケーブルと、位置決め部材とを含み、該位置決め部材が該フレキシブルフラットケーブルの回路基板に接続する側の一端に設けられ、かつ該フレキシブルフラットケーブルが回路基板に接続して該フレキシブルフラットケーブルと該回路基板との安定した接続を達成するように構成する。
【００１３】
請求項３に記載するフレキシブルフラットケーブルの位置決め構造は、請求項１、もしくは請求項２における記位置決め部材が押さえ板であって、かつ前記位置決め部材の長さが該フレキシブルフラットケーブルの幅より長く、該位置決め部材が該フレキシブルフラットケーブル一端の上面に圧接するとともに、該位置決め部材の両端が該フレキシブルフラットケーブルの幅を超えて位置し、該回路基板に連結する。
【００１４】
請求項４に記載するフレキシブルフラットケーブルの位置決め構造は、少なくともフレキシブルフラットケーブルと、位置決め部材とを含み、該フレキシブルフラットケーブルの前端に芯線セットが含まれ、該位置決め部材が該芯線セット上に設けられ、該位置決め部材が該芯線セット上に設けられ、かつ回路基板上に固定されてそれぞれの芯線セット上の各芯線が間に距離を置く形式として、それぞれ該芯線の位置がずれることのないように構成する。
【００１５】
請求項５に記載するフレキシブルフラットケーブルの位置決め構造は、請求項１における記フレキシブルフラットケーブルの前端の両側にそれぞれ翼部を形成し、該芯線セットの両側に該翼部と対応する補強線セットを設ける。
【考案の効果】
【００１６】
この考案によるフレキシブルフラットケーブルの位置決め構造は、フレキシブルフラットケーブルを回路基板に接続する場合、安定した固定が得られ、外部からの力を受けても接続が容易に破壊されることがないため、電子製品の安定した性能を保つことができるという利点を有する。
【００１７】
また、接続作業が容易になるため、生産コストを節減し、歩留まりを高めることができるという利点を有する。
【００１８】
さらに、フレキシブルフラットケーブルを回路基板に接続する部分を包含する各種電子装置に幅広く応用することができ、産業上の有用性を達成するという利点を有する。
【考案を実施するための最良の形態】
【００１９】
この考案は、フレキシブルフラットケーブルを回路基板に接続する場合に、安定した接続を実現するためのフレキシブルフラットケーブルの位置決め構造を提供するものであって、少なくともフレキシブルフラットケーブルと、位置決め部材とを含み、該位置決め部材が該フレキシブルフラットケーブル上に設けられ、かつ該フレキシブルフラットケーブルが回路基板に接続する。係るフレキシブルフラットケーブルの位置決め構造について、その構造と特徴を詳述するために、具体的な実施例を挙げ、図面を参照にして以下に説明する。
【実施例１】
【００２０】
この考案によるフレキシブルフラットケーブルの位置決め構造、図２に開示する。図面によれば、フレキシブルフラットケーブル位置決め構造１０は、少なくともフレキシブルフラットケーブル１１と、位置決め部材１２とを含み、フレキシブルフラットケーブル１１は回路基板２０に接続する、位置決め部材１２はフレキシブルフラットケーブル１１を回路基板２０に固定して、フレキシブルフラットケーブル１１が回路基板２０から離れないようにする。係る構造によってフレキシブルフラットケーブル１１が回路基板２０に安定して固定されるという目的を達成することができる。
【００２１】
位置決め部材１２は、押さえ板としての作用を有し、例えば鋼性を有する板材によって形成する。実施例における位置決め部材１２はフレキシブルフラットケーブル１１の幅より長くする、よって、位置決め部材１２をフレキシブルフラットケーブル１１に圧接させた場合（例えばフレキシブルフラットケーブル１１の末端を圧接する）、位置決め部材１２の両端がフレキシブルフラットケーブル１１の幅を超えて位置して、回路基板２０上に連結する。よって、位置決め部材１２の圧接によりフレキシブルフラットケーブル１１が位置決め部材から外れないようにして、回路基板２０に完全に固定することができる。
【００２２】
図３に開示するように、位置決め部材１２の両端には、それぞれ段差部１２１を形成する、段差部１２の高さは、フレキシブルフラットケーブル１１の厚さと略同様である。係る構成によって位置決め部材１２の中央の部分がフレキシブルフラットケーブル１１上に圧接する。また、位置決め部材１２とフレキシブルフラットケーブル１１とは粘着在で接着し、位置決め部材１２の両端は回路基板２０に溶着して、位置決め部材１２とフレキシブルフラットケーブル１１とを固定する。
【００２３】
上述のように構成することにより、フレキシブルフットケーブル１１と、位置決め部材１２と、回路基板２０とによって安定した位置決め構造が形成され、フレキシブルフラットケーブル１１が回路基板２０から予期せず外れることを防ぐことができる。
【実施例２】
【００２４】
図４に、この考案によるフレキシブルフラットケーブルの位置決め構造に係る第２の実施例を開示する。図面によれば、位置決め部材１２の両端には、それぞれ孔部１２２を穿設する。この孔部１２２に固定部材３０を挿設して、位置決め部材１２を回路基板２０に固定する。例えば、第２の実施例において固定部材３０は半田である。孔部１２２によって半田付けの固定面積が増加し、位置決め部材１２の回路基板２０上におけるさらに堅牢な固定を達成することができる。
【実施例３】
【００２５】
図５に、この考案によるフレキシブルフラットケーブルの位置決め構造に係る第３の実施例を開示する。図面によれば、第２の実施例と同様に位置決め部材１２の両端には、それぞれ孔部１２２を穿設し、この孔部１２２に固定部材３０を挿設して、位置決め部材１２を回路基板２０に固定する。第３の実施例において固定部材３０はビスであって、ビスである固定部材孔部１２２に挿通させて螺着することによって、位置決め部材１２の回路基板２０上におけるさらに堅牢な固定を達成することができる。
【実施例４】
【００２６】
図６に、この考案によるフレキシブルフラットケーブルの位置決め構造に係る第４の実施例を開示する。図面によれば、回路基板２０上の位置決め部材１２の両端に対応する位置に、それぞれ位置決め孔２２を穿設し、フレキシブルフラットケーブル１１の幅を超えて位置する位置決め部材１２の段差部１２１を位置決め孔２２に挿通させることによって、フレキシブルフラットケーブル１１を位置決めする効果を達成する。
【実施例５】
【００２７】
図７に、この考案によるフレキシブルフラットケーブルの位置決め構造に係る第５の実施例を開示する。図面によれば、フレキシブルフラットケーブル１１の前端には芯線セット１１１を含み、芯線セット１１１は回路基板２０上に固定してフレキシブルフラットケーブル１１と回路基板２０の電気的接続を形成する。
【００２８】
第５の実施例における位置決め部材１２は芯線セット１１１上に設けられ、さらに回路基板２０上に固定される。よって、それぞれの芯線セット１１１を構成する各芯線１１２が距離を置いて固定される形式になる。このため、それぞれの芯線１１２の位置がずれるという状況が発生することなく、かつそれぞれの芯線１１２が回路基板２０上に設けた接点２１と正確に対応して接続する。
【００２９】
フレキシブルフラットケーブル１１前端の両側には、それぞれ翼部１１３が形成され、芯線セット１１１の両側には、翼部１１３に対応して設けられる補強線セット１１４を有する。両側に形成される補強線セット１１４を設けることによって、芯線セット１１１と位置決め部材１２との間の固定強度を高めることができる。
【００３０】
ここで注目すべき点は、この考案によるフレキシブルフラットケーブルの位置決め構造がフレキシブルフラットケーブルと回路基板とを連結して電気的接続を形成するものであって、かつ係る技術を例えばノートブックタイプのコンピュータなどの各種電子製品に応用することによって、従来の技術に見られるフレキシブルフラットケーブルと回路基板との接続が外部の力を受けて容易に外れるという欠点を改善することができる、という点である。
【００３１】
以上はこの考案の好ましい実施の形態であって、この考案の実施の範囲を限定するものではない。よって、当業者のなし得る修正、もしくは変更であって、この考案の精神の下においてなされ、かつこの考案に対して均等の効果を有するものは、いずれもこの考案の実用新案登録請求の範囲に属するものとする。
【図面の簡単な説明】
【００３２】
【図１Ａ】従来の技術によるフレキシブルプリント配線板と回路基板との接続を示した説明図
【図１Ｂ】従来の技術によるフレキシブルフラットケーブルと回路基板との接続を示した説明図
【図２】第１の実施例によるフレキシブルフラットケーブルの位置決め構造を示した説明図
【図３】第１の実施例によるフレキシブルフラットケーブルの位置決め構造を示した説明図
【図４】第２の実施例によるフレキシブルフラットケーブルの位置決め構造を示した説明図
【図５】第３の実施例によるフレキシブルフラットケーブルの位置決め構造を示した説明図
【図６】第４の実施例によるフレキシブルフラットケーブルの位置決め構造を示した説明図
【図７】第５の実施例によるフレキシブルフラットケーブルの位置決め構造を示した説明図
【符号の説明】
【００３３】
１０          フレキシブルフラットケーブル位置決め構造
１１          フレキシブルフラットケーブル
１１１        芯線セット
１１２        芯線
１１３        翼部
１１４        補強線セット
１２          位置決め部材
１２１        段差部
１２２        孔部
２０          回路基板
２１          接点
２２          位置決め孔
３０          固定部材
７０          フレキシブルプリント配線板
７１          接点
７２          固定孔
８０          フレキシブルフラットケーブル
８１          芯線
９０          回路基板
９１          接点
【図１Ａ】
0003140212.tif 000003
【図１Ｂ】
0003140212.tif 000004
【図２】
0003140212.tif 000005
【図３】
0003140212.tif 000006
【図４】
0003140212.tif 000007
【図５】
0003140212.tif 000008
【図６】
0003140212.tif 000009
【図７】
0003140212.tif 000010